(57)【要約】【課題】  パチンコ機又はパチスロ機のような遊技機の設置台による島を構築するために使用される設置台ユニットを提供する。【解決手段】  パチンコ機又はパチスロ機から選ばれた遊技機の遊技部を正面側に配置せしめ、遊技機の作動部を背面側に配置せしめる遊技機の設置台において、単数又は複数の遊技機の左右に配置される一対の柱体と、左右の柱体を連結する少なくとも１本の梁部材により設置台ユニットを構成しており、各柱体は、鉛直線上の第１基軸Ｖ１に沿って延びる上柱部及び下柱部と、上下柱部の間に位置して第１基軸Ｖ１よりも背面側に偏位する第２基軸Ｖ２に沿って延びる中間柱部とを一体的に備えており、左右一対の柱体の間に位置して、中間柱部により第１基軸Ｖ１の正面側から背面側に向けて凹入された遊技機設置空間を形成すると共に、上下柱部により第２基軸Ｖ２の背面側から正面側に向けて凹入された作動部品配設空間を形成した構成である。【選択図】  図３
2005245651.tif 000002
【特許請求の範囲】
【請求項１】
パチンコ機又はパチスロ機から選ばれた遊技機の遊技部を正面側に配置せしめ、遊技機の作動部を背面側に配置せしめる遊技機の設置台において、
単数又は複数の遊技機の左右に配置される一対の金属製の柱体(2)(2)と、左右の柱体を連結する少なくとも１本の梁部材(9,11,13)により設置台ユニット(U)を構成しており、
各柱体(2)は、鉛直線上の第１基軸Ｖ１に沿って延びる上柱部(3)及び下柱部(4)と、上下柱部(3)(4)の間に位置して第１基軸Ｖ１よりも背面側に偏位する第２基軸Ｖ２に沿って延びる中間柱部(5)とを一体的に備えており、
左右一対の柱体(2)(2)の間に位置して、中間柱部(5)(5)により第１基軸Ｖ１の正面側から背面側に向けて凹入された遊技機設置空間(6)を形成すると共に、上下柱部(3)(3)(4)(4)により第２基軸Ｖ２の背面側から正面側に向けて凹入された作動部品配設空間(7)(8)を形成して成ることを特徴とする遊技機の設置台。
【請求項２】
左右一対の柱体(2)(2)の間において開閉自在な扉(21)を上柱部(3)(3)の正面側に設け、該扉(21)よりも背面側に位置するほぼ水平方向の配線用樋部材(18)を上柱部(3)(3)に設けて成ることを特徴とする請求項１に記載の遊技機の設置台。
【請求項３】
パチンコ機の設置台において、左右一対の柱体(2)(2)の間において幕板(23)を下柱部(4)(4)の正面側に設け、該幕板よりも背面側に位置する遊技球返還用樋部材(25)を下柱部(4)(4)に取付けて成ることを特徴とする請求項１又は２に記載の遊技機の設置台。
【請求項４】
遊技球返還用樋部材(25)と下柱部(4)(4)の相互に、下柱部に対する遊技球返還用樋部材の取付位置を上下方向に調節自在とする取付位置調節手段(28)(29)を設けて成ることを特徴とする請求項３に記載の遊技機の設置台。
【発明の詳細な説明】
【技術分野】
【０００１】
本発明は、パチンコ機又はパチスロ機のような遊技機の設置台に関する。
【背景技術】
【０００２】
従来、パチンコ機やパチスロ機のような遊技機は、パチンコホールにおいて、いわゆる島を構成する設置台に列設状に設置されている。
【０００３】
このような島を構成する設置台は、大工等の職人による木工作業により製作され、角木材等により骨組を形成した後、合板等の外装材により被われる。
【０００４】
角木材等により形成された骨組は、遊技機を支持固着するように枠組形成される。パチンコ機やパチスロ機は、それぞれ木製の枠体を備えており、該枠体に遊技機を装入することにより取付けるように構成されており、枠体の外形寸法は、規格化されているが、木製の枠体は、現場において、島を形成する木製の骨組に対して釘を打ち込むことにより固着される。
【０００５】
また、木工作業により島が製作され、遊技機を装入するための枠体の取付けが完了すると、島の内部（遊技面の背面側）には、多数の配線や、配電盤及び整流器その他の作動部品が配設される。これらの配線や作動部品は、島を形成する木製の骨組に対して、釘等により係止保持される。
【０００６】
更に、パチンコ機の場合、島の内部には、遊技球を返還するための長い樋部材が配置され、樋部材に所定の勾配を設けることにより、遊技球が球洗浄器へと移動するように構成されている。尚、樋部材も島を形成する木製の骨組に対して釘を打ち込むことにより固着される。
【特許文献１】特開２００３−１５９４６９号公報
【特許文献２】特開２００３−７１１０６号公報
【特許文献３】特開２００２−３３６５３５号公報
【発明の開示】
【発明が解決しようとする課題】
【０００７】
前述のような従来技術における設置台としての島は、大工等の職人による木工作業により製作されるものであるから、製作能率が悪く、しかも、長い製作期間を要する。
【０００８】
特に、島の長さは、パチンコホール等の店舗により長短相違するため、一品製作的な木工作業が行われており、生産性が頗る悪い。
【０００９】
更に、島の完成後又は完成中に、配線や作動部品の配設を行う場合、その保持手段は、金属製又は合成樹脂製の部品として製品化されているが、該製品を島の内部空間に取付るに際しては、木枠の適所に釘を打ち込むことにより随時アトランダムに固着されるものであるから、雑然と配設されてしまい、遊技機に対する誤配線によるトラブルを生じる虞れがあり、しかも、トラブル後のメンテナンスも容易でないという問題がある。
【課題を解決するための手段】
【００１０】
本発明は、単数又は複数の遊技機の左右に配置される一対の金属製の柱体を使用した設置台ユニットを構成することにより、上記課題を解決した遊技機の設置台を提供するものである。従って、設置台ユニットを長手方向に連結することにより、島を長短自在に形成することができる。また、設置台ユニットを背合わせ状態で連結すれば、正面側と背面側に遊技機を設置した両面形式の島を形成することができ、或いは、設置台ユニットを店舗の壁面に沿わせて設置すれば、正面側にのみ遊技機を設置した片面形式の島を形成することができる。
【００１１】
特に、本発明は、一対の金属製の柱体により設置台ユニットを構成するに際し、柱体をユニークな構成とすることにより、該ユニットの正面側に、遊技機を外観体裁良く、しかも、容易な作業で装着することができ、更に、背面側に、作動部品を整然と配設することができ、更に、パチンコ機の場合は、遊技球の返還用樋部材を好適に配設することができるという特徴を有する。
【００１２】
そこで、本発明が手段として構成したところは、パチンコ機又はパチスロ機から選ばれた遊技機の遊技部を正面側に配置せしめ、遊技機の作動部を背面側に配置せしめる遊技機の設置台において、単数又は複数の遊技機の左右に配置される一対の柱体と、左右の柱体を連結する少なくとも１本の梁部材により設置台ユニットを構成しており、各柱体は、鉛直線上の第１基軸Ｖ１に沿って延びる上柱部及び下柱部と、上下柱部の間に位置して第１基軸Ｖ１よりも背面側に偏位する第２基軸Ｖ２に沿って延びる中間柱部とを一体的に備えており、左右一対の柱体の間に位置して、中間柱部により第１基軸Ｖ１の正面側から背面側に向けて凹入された遊技機設置空間を形成すると共に、上下柱部により第２基軸Ｖ２の背面側から正面側に向けて凹入された作動部品配設空間を形成して成る点にある。
【００１３】
本発明の好ましい実施形態において、左右一対の柱体の間には、開閉自在な扉が上柱部の正面側に設けられ、該扉よりも背面側に位置するほぼ水平方向の配線用樋部材が上柱部に設けられている。
【００１４】
パチンコ機の場合、設置台は、左右一対の柱体の間において幕板を下柱部の正面側に設け、該幕板よりも背面側に位置する遊技球返還用樋部材を下柱部に取付けている。この際、遊技球返還用樋部材と下柱部の相互に、下柱部に対する遊技球返還用樋部材の取付位置を上下方向に調節自在とする取付位置調節手段を設けている。
【発明の効果】
【００１５】
本発明によれば、単数又は複数の遊技機の左右に配置される一対の柱体と、左右の柱体を連結する少なくとも１本の梁部材により設置台ユニットを構成しているので、設置台ユニットを長手方向に連結することにより、島を長短自在に形成することができる。そして、設置台ユニットを背合わせ状態で連結すれば、正面側と背面側に遊技機を設置した両面形式の島を形成することができ、また、設置台ユニットを店舗の壁面に沿わせて設置すれば、正面側にのみ遊技機を設置した片面形式の島を形成することができる。
【００１６】
特に、本発明において、各柱体は、鉛直線上の第１基軸Ｖ１に沿って延びる上柱部及び下柱部と、上下柱部の間に位置して第１基軸Ｖ１よりも背面側に偏位する第２基軸Ｖ２に沿って延びる中間柱部とを一体的に備えており、左右一対の柱体の間に位置して、中間柱部により第１基軸Ｖ１の正面側から背面側に向けて凹入された遊技機設置空間を形成しているので、設置台ユニットの正面側に、遊技機を外観体裁良く、しかも、容易な作業で装着することができる。そして、上下柱部により第２基軸Ｖ２の背面側から正面側に向けて凹入された作動部品配設空間を形成しているので、設置台ユニットの背面側に、作動部品を整然と配設することができる。従って、配線や作動部品は、従来のように釘の打ち込みによりアトランダムに雑然と配設されるのではなく、作動部品配設空間に整然と配設されるので、遊技機に対する誤配線によるトラブルを生じる虞れはなく、しかも、トラブル後のメンテナンスも容易に行うことができる。
【００１７】
この際、請求項２に記載の本発明のように、左右一対の柱体の間において開閉自在な扉を上柱部の正面側に設け、該扉よりも背面側に位置するほぼ水平方向の配線用樋部材を上柱部に設けた構成によれば、整然とした配線作業の容易性と、その後の配線のメンテナンスの容易性が一層向上する。
【００１８】
そして、請求項３に記載の本発明のように、パチンコ機のために提供される設置台の場合は、左右一対の柱体の間において幕板を下柱部の正面側に設け、該幕板よりも背面側に位置する遊技球返還用樋部材を下柱部に取付けることにより、遊技球の返還用樋部材を好適に配設することができる。この際、請求項４に記載の本発明のように、遊技球返還用樋部材と下柱部の相互に、下柱部に対する遊技球返還用樋部材の取付位置を上下方向に調節自在とする取付位置調節手段を設けておけば、設置台ユニットを長手方向に連結することにより島を形成するに際して、連結される設置台ユニットにおける樋部材の相互間において、樋部材が全体として球洗浄器に向けて次第に下降するように勾配ないし段差を形成することができるので、同一構成の設置台ユニットを単に連結するだけで、所望の島を構築することができる。
【発明を実施するための最良の形態】
【００１９】
以下図面に基づいて本発明の好ましい実施形態を詳述する。
【００２０】
（設置台ユニットの構成）
図１ないし図５に示すように、複数の設置台ユニットＵは、長手方向に連結することにより、長短自在な島Ｓを構成する。また、複数の設置台ユニットＵは、背合わせ状態で連結することにより、正面側と背面側に遊技機１を設置した両面形式の島Ｓ１を構成する。遊技機１は、パチンコ機又はパチスロ機から選ばれた遊技機であり、図例においてはパチンコ機を示している。尚、各設置台ユニットＵは、従来の設置台と同様に、遊技機１の遊技部を正面側に配置せしめ、遊技機１の作動部を背面側に配置せしめている。
【００２１】
設置台ユニットＵは、単数又は複数の遊技機１の左右に配置される一対の金属製の柱体２、２により構成されており、図例の場合、柱体２、２は、並設された２台の遊技機１、１の左右に配設されている。
【００２２】
図３及び図４に示すように、柱体２は、鉛直線上の第１基軸Ｖ１に沿って延びる同軸上の上柱部３及び下柱部４と、上下柱部３、４の間に位置して第１基軸Ｖ１よりも背面側に偏位する第２基軸Ｖ２に沿って延びる中間柱部５とを一体的に備えており、左右一対の柱体２、２の間に位置して、中間柱部５、５により第１基軸Ｖ１の正面側から背面側に向けて凹入された遊技機設置空間６を形成すると共に、上下柱部３、４のそれぞれにより第２基軸Ｖ２の背面側から正面側に向けて凹入された上部作動部品配設空間７と下部作動部品配設空間８を形成している。
【００２３】
図例の場合、柱体２は、上下柱部３、４と、中間柱部５を、金属製の角パイプにより１本の柱体２として一体に形成されているが、これらを別体に形成し、設置台ユニットＵを組立てる際に相互に嵌入固着することにより、全体として１本の柱体２を一体的に形成するようにしても良い。
【００２４】
上柱部３は、上下方向に間隔を密に配置された係止孔を設けており、正面壁に列設された係止孔３ａと、両側壁に列設された係止孔３ｂ、３ｂと、背面壁に列設された係止孔３ｃを備えている。
【００２５】
下柱部４は、上下方向に間隔を密に配置された係止孔を設けており、正面壁に列設された係止孔４ａと、両側壁にそれぞれ２列に列設された係止孔４ｂ、４ｂを備えている。尚、図示省略しているが、背面壁にも同様の係止孔を列設しても良い。
【００２６】
中間柱部５は、上下方向に間隔を密に配置された係止孔を設けており、両側壁にそれぞれ２列に列設された係止孔５ｂ、５ｂを備えている。尚、図示省略しているが、正面壁と背面壁にも係止孔を列設しても良い。
【００２７】
一対の柱体２、２は、少なくとも１本の梁部材により連結されることにより設置台ユニットＵを構成するが、図示実施形態においては、上柱部３、３を連結する上部梁部材９と、下柱部４、４を連結する枠部材１０から成る下部梁部材１１と、中間柱部５、５を連結するテーブル台１２から成る中間部梁部材１３が使用されており、これらの梁部材は、何れも金属製とされ、一対の支柱２、２に対して着脱自在に固着される。従って、設置台ユニットＵは、各種部品を搬入した後、現場において組立てることが可能である。
【００２８】
上部梁部材９は、図４に示すような溝形の板により構成されており、左右一対の柱体２、２に対して、上柱部３、３の背面壁に設けられた係止孔３ｃに挿着ピン（図示せず）を挿着することにより着脱自体に固着される。図示実施形態において、一対の上柱部３、３の間には、各上柱部３と同様の構成の金属製の補助柱１４が配置され、該補助柱１４も上部梁部材９に固着される。
【００２９】
上柱部３、３及び補助柱１４には、下端近傍部に設けた挿着孔１５を介して、金属角パイプ製の補助梁部材１６が架設される。更に、上柱部３、３及び補助柱１４には、上下方向中間部に設けた挿通孔１７を介して、金属板製の配線用樋部材１８が架設される。この配線用樋部材１８は、上部及び両端を開口せしめた樋により形成され、両側壁に多数のスリット１９を開設している。従って、設置台ユニットＵを構成した状態で、遊技機１のために必要とする種々のケーブルは、樋部材１８を配線通路として配線される。この際、ケーブルは、その用途及び機能に応じて色分けされており、樋部材１８の外部からスリット１９を介してその色別を識別することができる。
【００３０】
左右一対の柱体２、２の上柱部３、３の正面側は、その下側部分を金属板製の上部幕板２０により被われる。この上部幕板２０は、上柱部３、３及び補助柱１４の正面壁に設けられた係止孔３ａ、１４ａに挿着ピン（図示せず）を挿着することにより着脱自体に固着される。更に、上柱部３、３の正面側の上側部分を被う開閉自在な金属板製の扉２１が設けられている。この扉２１は、両端上部にヒンジ部材２２、２２を設けており、該ヒンジ部材２２を上柱部３の正面壁に設けられた係止孔３ａに挿着ピン（図示せず）を挿着することにより着脱自体に固着される。扉２１は、常時は、垂れ下がることにより上柱部３、３の正面側を被うが、持ち上げることにより上方に回動し、配線用樋部材１８の内部におけるケーブルの配線状態をメンテナンスすることができる。
【００３１】
下部梁部材１１を構成する枠部材１０は、金属製角パイプにより形成され、左右一対の柱体２、２における下柱部４、４の間に嵌入状に挿入され、下部柱部４、４の側壁に設けられた係止孔４ｂに挿着ピン（図示せず）を挿着することにより着脱自体に固着される。更に、下柱部４、４の正面側は、金属板製の下部幕板２３により被われる。この下部幕板２３は、下柱部４、４の正面壁に設けられた係止孔４ａに挿着ピン（図示せず）を挿着することにより着脱自体に固着される。
【００３２】
中間部梁部材１３を構成するテーブル台１２は、合板等により構成されており、左右一対の柱体２、２における中間柱部５、５の間に嵌入状に挿入された状態で、正面側の両側縁に張り出す耳片１２ａ、１２ａを設けており、該耳片１２ａを下柱部４の頂面４ｐに載置される。尚、例えば、下柱部４の頂面４ｐにボルトを設け、耳片１２ａに該ボルトを挿通する孔を設け、挿通したボルトにナットを締着する等、テーブル台１２を着脱自在に固着する固着手段を設けることが好ましい。
【００３３】
図１ないし図５に示す実施形態は、上述のように複数の設置台ユニットＵを背合わせ状態で連結することにより、正面側と背面側に遊技機１を設置した両面形式の島Ｓを構成する。このため、正面側と背面側の設置台ユニットＵ、Ｕの対向する柱体２、２は、相互に金属製の連結部材２４ａにより連結され、連結された設置台ユニットＵの間の上部空間は、金属板から成る天板２４ｂにより閉鎖される。図例の場合、連結部材２４ａは、柱体２における中間柱部５の側壁に設けられた係止孔５ｂに挿着ピン（図示せず）を挿着することにより着脱自体に固着される。尚、各柱体２の下端には、床面上で高さ調整可能なアジャスタ４ｘを設けることが好ましい。
【００３４】
背合わせ状態で連結される設置台ユニットＵ、Ｕの間には、遊技球返還用樋部材２５が設けられる。遊技球返還用樋部材２５は、図４に示すように、設置台ユニットＵの長手方向（左右方向）に延びる金属板製の樋板２６の両端に金属角パイプ製の樋枠部材２７、２７を設けており、樋枠部材２７の縦枠部を左右一対の柱部２、２における下柱部４、４の間に嵌入状に挿入され、下柱部４の側壁に設けられた係止孔４ｂに挿着ピン（図示せず）を挿着することにより着脱自体に固着される。即ち、下柱部４の側壁には２列の係止孔４ｂが設けられているので、その１列を利用することにより上記枠部材１０が固着され、他の１列を利用することにより樋枠部材２７が固着される。この際、樋枠部材２７は、列設された係止孔４ｂを選択することにより、上下方向の取付位置を調節することが可能とされ、該係止孔４ｂにより取付位置調節手段２８が構成される。これと併せて又は選択的に、下柱部４に対する樋板２６の取付位置を調節するため、樋板２６と樋枠部材２７、２７の間に、上下方向に列設された係止孔列と挿着ピンによる取付位置調節手段２９を構成しても良い。
【００３５】
（遊技機の取付装置の構成）
遊技機１を設置台ユニットＵの遊技機設置空間６に取付けるに際しては、図２並びに図６及び図７に示すように、各設置台ユニットＵの該空間６に、木製の枠体３０が起立姿勢で取付けられ、正面側に遊技部を向け背面側に作動部を向けるようにして遊技機１を枠体３０に装入することにより取付けられる。枠体３０に遊技機１を装入固定する手段は、従来公知であり、遊技機１は枠体３０に対して、図２に示すように、開閉自在である。尚、枠体３０は、遊技機１とセット状態でメーカーから提供されており、その寸法及び形状は規格化されている。
【００３６】
枠体３０は、下枠部３１をテーブル台１２に載置され、上枠部３２を上柱部３及び補助梁部材１６の下面に挿入される。そこで、枠体３０の上枠部３２と下枠部３１の少なくとも一方と設置台ユニットＵの間には、遊技機１の背面側から操作可能であると共に、枠体３０を正面側に向けて進退移動自在且つ固定自在とする姿勢制御手段３３が設けられている。図示実施形態の場合、枠体３０の下枠部３１に姿勢制御手段３３を設け、上枠部３２には係止手段３４を設けているが、これとは上下反対になるように構成し、上枠部３２に姿勢制御手段３３を設けると共に下枠部３１に係止手段３４を設けるように構成しても良く、或いは、上枠部３２と下枠部３１の両方に姿勢制御手段３３を設けても良い。
【００３７】
図７に示すように、姿勢制御手段３３は、枠体３０の下枠部３１に設けられた枠体側固定部材３５と、テーブル台１２の背縁部に設けられた設置台側固定部材３６と、ボルト・ナットから成る調節手段３７とから構成されており、枠体側固定部材３５と設置台側固定部材３６をほぼ水平方向から対向配置すると共に、両固定部材３５、３６を調節手段３７により相互間隔調節自在に連結している。
【００３８】
図示実施形態において、枠体側固定部材３５は、下枠部３１の水平枠板部３１ａを背面側から抱持する断面ほぼコ字形の部分を有する金属板により形成され、クランプボルト３８を締着することにより水平板枠部３１ａに固着される。そして、枠体側固定部材３５の背壁部には、背面側に突出する調節ボルト３９が溶接等で固設されている。
【００３９】
設置台側固定部材３６は、テーブル台１２の背縁部を背面側から抱持する断面ほぼコ字形の部分を有する金属板により形成され、上壁部に設けられた木ねじ等の固着手段４０を介してテーブル台１２に固着され、上壁部から起立する舌片部４１に前記調節ボルト３９を挿通せしめられる。
【００４０】
そして、前記舌片部４１の背面側に突出した調節ボルト３９の挿出部に調節ナット４２が螺着され、これらの調節ボルト３９と調節ナット４２により調節手段３９が構成されている。尚、図例において、調節ナット４２は、ダブルナットが採用されている。
【００４１】
枠体３０の上枠部３２に設けた係止手段３４は、上枠部３２の背縁部の近傍において上面に木ねじ等の固着手段４３により固着された断面ほぼＬ形の金属板により形成され、起立壁４４を補助梁部材１６の背面に当接係止せしめている。
【００４２】
そこで、図７に示す状態から、調節ナット４２を調節ボルト３９に対して螺進せしめると、枠体側固定部材３８と共に下枠部３１が背面方向Ｆに移動し、反対に、調節ナット４２を調節ボルト３９に対して螺退せしめると、枠体側固定部材３８と共に下枠部３１が正面方向Ｒに移動する。その結果、遊技機１の盤面を鉛直線Ｖに対して、前傾姿勢θ１又は後傾姿勢θ２となるように姿勢制御可能であり、しかも、姿勢角度θ１、θ２を微調節することが可能であるから、盤面に設けられた賞球口に対する打球の入り具合を調整することができる。
【００４３】
（上記構成に基づく実用的意義）
上述したように、設置台ユニットＵは、柱体２とその他の部材を現場に搬入することにより、現場で組立てることができる。そして、組立てられた設置台ユニットＵの複数を長手方向に連結することにより、島を長短自在に形成することができる。また、設置台ユニットＵの複数を背合わせ状態で連結すれば、正面側と背面側に遊技機を設置した両面形式の島を形成することができる。
【００４４】
遊技機１の左右に配置される一対の柱体２、２の各々は、第１基軸Ｖ１に沿って延びる上柱部３及び下柱部４と、上下柱部３、４の間に位置して第１基軸Ｖ１よりも背面側に偏位する第２基軸Ｖ２に沿って延びる中間柱部５とを一体的に備えており、左右一対の柱体２、２の間に位置して、中間柱部５、５により第１基軸Ｖ１の正面側から背面側に向けて凹入された遊技機設置空間６を形成しているので、該空間６に臨む下柱部４の頂面４ｐに設置したテーブル台１２を利用することにより、該空間６に対して、枠体３０と共に遊技機１を容易に装着することができ、しかも、装着後の遊技機１が該空間６に納められ、上柱部３に設けた扉２１及び上部幕板２０や、下柱部４に設けた下部幕板２３と、ほぼ面一状態となり、外観体裁良く装着される。
【００４５】
そして、上柱部３は、第２基軸Ｖ２の背面側から正面側に向けて凹入された上部作動部品配設空間７を形成しているので、上述のように配線用樋部材１８を設けることによりケーブル類を整然と配線することが可能である。しかも、扉２１を開ければ、配線用樋部材１８のスリット１９を介してケーブル類の色分けを好適に視認することができるので、配線のメンテナンスが極めて容易となる。
【００４６】
また、下柱部４は、第２基軸Ｖ２の背面側から正面側に向けて凹入された下部作動部品配設空間８を形成しているので、上述のように遊技球返還用樋部材２５を好適に設けることができる。
【００４７】
ところで、設置台ユニットＵの複数を長手方向に連結することにより形成される島において、遊技球を所定の場所に設置された球洗浄器に向けて返送するためには、設置台ユニットＵにおける遊技球返還用樋部材２５の相互間において、該樋部材２５が全体として球洗浄器に向けて次第に下降するように勾配を形成することが必要であるが、前述のように取付位置調節手段２８又は２９を設けているので、図８に示すように、複数の設置台ユニットＵ１、Ｕ２、Ｕ３を連設した島に関して、それぞれの遊技球返還用樋部材２５を次第に下降するように勾配ないし段差を形成することができる。従って、ユニット化された同一構成の設置台ユニットＵ１、Ｕ２、Ｕ３を所定の店舗で設置するに際し、取付位置調節手段２８又は２９により遊技球返還用樋部材２５の高さ位置を調節するだけで、所望の島が容易に構築される。
【００４８】
そして、遊技機１の背面側（設置台ユニットＵの内部空間）には、上柱部３の背面壁に設けた係止孔３ｃや、中間柱部５の側壁において背面側の列を成す係止孔５ｂが配設されているので、適宜のフック部材等の係止具を使用することにより、配電盤や整流器その他の作動部品を整然と配設することが可能であり、その取付作業と、取付後のメンテナンスが容易となる。
【００４９】
ところで、上記実施形態は、複数の設置台ユニットＵを背合わせ状態で連結することにより、正面側と背面側に遊技機１を設置した両面形式の島Ｓ１を構築した例を説明したが、設置台ユニットＵを店舗の壁面に沿わせて設置することにより、正面側にのみ遊技機１を設置した片面形式の島Ｓ２を構築しても良い。図９は、このような片面形式の島Ｓ２の１例を示しており、設置台ユニットＵの背面側には、支柱４５が設けられている。この支柱４５は、上柱部４６と、中間柱部４７と、下柱部４８を鉛直線上の基軸Ｖ３に沿って延設しており、店舗の壁面に沿って設置される。
【図面の簡単な説明】
【００５０】
【図１】本発明の設置台ユニットにより形成された両面形式の島の１例を示す斜視図である。
【図２】設置台ユニットの扉と遊技機を開いた状態を示す斜視図である。
【図３】設置台ユニットの１実施形態を正面側から示す分解斜視図である。
【図４】設置台ユニットの１実施形態を背面側から示す分解斜視図である。
【図５】設置台ユニットの１実施形態を示す縦断側面図である。
【図６】設置台ユニットにおける遊技機の取付状態を示す縦断側面図である。
【図７】遊技機の取付状態と姿勢制御装置を拡大して示す縦断側面図である。
【図８】設置台ユニットの連設により形成された島における遊技球返還用樋部材の相互関係を示す説明図である。
【図９】本発明の設置台ユニットにより形成された片面形式の島の１例を示す斜視図である。
【符号の説明】
【００５１】
Ｕ    設置台ユニット
Ｓ１  両面形式の島
Ｓ２  片面形式の島
１    遊技機
２    柱体
３    上柱部
４    下柱部
５    中間柱部
６    遊技機設置空間
７    上部作動部品配設空間
８    下部作動部品配設空間
９    上部梁部材
１０    枠部材
１１    下部梁部材
１２    テーブル台
１３    中間梁部材
１４    補助柱
１６    補助梁部材
１８    配線用樋部材
１９    スリット
２０    上部幕板
２１    扉
２３    下部幕板
２４ａ  連結部材
２５    遊技球返還用樋部材
２６    樋板
２７    樋枠部材
２８、２９  取付位置調節手段
３０    枠体
３１    下枠部
３２    上枠部
３３    姿勢制御手段
３４    係止手段
３５    枠体側固定部材
３６    設置台側固定部材
３７    調節手段
【図１】
2005245651.tif 000003
【図２】
2005245651.tif 000004
【図３】
2005245651.tif 000005
【図４】
2005245651.tif 000006
【図５】
2005245651.tif 000007
【図６】
2005245651.tif 000008
【図７】
2005245651.tif 000009
【図８】
2005245651.tif 000010
【図９】
2005245651.tif 000011